(57)【要約】  複数のアンテナは互いに異なる位置に配置され、表示部は複数のアンテナの少なくともいずれかの位置に関する表示情報を必要に応じて表示する。本発明の実施形態は、端末装置、通信方法またはプログラムのいずれによっても実施可能である。
2017169016.tif 000002
【特許請求の範囲】
【請求項１】
互いに異なる位置に配置された複数のアンテナと、
前記複数のアンテナの少なくともいずれかの位置に関する表示情報を必要に応じて表示する表示部と、
を備える端末装置。
【請求項２】
各アンテナの動作を制御するアンテナ制御部と、
前記表示情報として、動作するアンテナを示す情報を前記表示部の当該動作するアンテナの位置から所定範囲内の位置に表示させる表示制御部と、
を備える請求項１に記載の端末装置。
【請求項３】
前記表示制御部は、
前記表示情報において動作するアンテナを動作しないアンテナと異なる態様で表示させる請求項２に記載の端末装置。
【請求項４】
他装置との通信を制御する通信制御部を備え、
前記表示制御部は、
前記他装置との通信中において前記表示情報を表示させる請求項２または請求項３に記載の端末装置。
【請求項５】
前記表示制御部は、
通信品質が所定の通信品質よりも低下するとき前記表示情報を表示させ、他装置との通信品質が所定の通信品質以上になるとき前記表示情報を前記表示部に表示させない請求項４に記載の端末装置。
【請求項６】
前記アンテナ制御部は、
電波の受信方向を検出し、
前記表示制御部は、
前記表示情報として前記受信方向に関する情報をさらに表示させる請求項２から請求項５のいずれか一項に記載の端末装置。
【請求項７】
前記表示制御部は、前記アンテナ制御部が動作するアンテナを定める前に、
前記表示情報を前記表示部に表示させる請求項２から請求項６のいずれか一項に記載の端末装置。
【請求項８】
前記表示部は、
前記表示情報として前記アンテナから所定距離以上離れた目標領域を表示する請求項１から請求項７のいずれか一項に記載の端末装置。
【請求項９】
自装置が支持される支持領域を検出する検出部と、
前記支持領域の少なくとも一部が前記目標領域に含まれるとき通信を実行する通信制御部と、
を備える請求項８に記載の端末装置。
【請求項１０】
自装置が支持される支持領域を検出する検出部と、
前記検出部が前記支持領域を検出するとき、前記表示情報を表示させる表示制御部と、
を備える請求項１から請求項９のいずれか一項に記載の端末装置。
【請求項１１】
前記表示情報の表示の要否を示す設定情報を取得し、前記設定情報に基づいて前記表示情報の表示の要否を制御する表示制御部と、
を備える請求項１から請求項１０のいずれか一項に記載の端末装置。
【請求項１２】
端末装置における方法であって、
互いに異なる位置に配置された複数のアンテナの少なくともいずれかの位置に関する表示情報を必要に応じて表示部に表示させる表示過程、
を有する通信方法。
【請求項１３】
端末装置のコンピュータに、
互いに異なる位置に配置された複数のアンテナの少なくともいずれかの位置に関する表示情報を必要に応じて表示部に表示させる表示手順、
を実行させるためのプログラム。
【発明の詳細な説明】
【技術分野】
【０００１】
本発明のいくつかの態様は、端末装置、通信方法およびプログラム、特にミリ波を用いた無線通信システムに関する。
本願は、２０１６年３月３０日に、日本に出願された特願２０１６−０６９７５５号に基づき優先権を主張し、その内容をここに援用する。
【背景技術】
【０００２】
ミリ波通信とは、波長が１〜１０ｍｍ（周波数３０〜３００ＧＨｚに相当）である電波を搬送波として用いた無線通信である。ミリ波通信は、従来から普及している無線通信方式で使用される周波数帯域（例えば、８００ＭＨｚや２ＧＨｚ）よりも高い周波数帯域の電波が用いられるため、データの大容量化や多チャネル化を可能にする。しかしながら、ミリ波は波長が短いので直進性が強いうえ、空気中での伝搬において吸収や散乱の影響を受ける。通信において十分な電界強度を確保するためには、ビームを形成することが好ましい。【０００３】
ミリ波通信を実現するための通信システムは、端末装置とアクセスポイントを含んで構成される。端末装置は、各ユーザが所持し、各種のデータの送信元または送信先となる。
アクセスポイントは、サービスエリア内の任意の位置に設置され、端末装置との間で電波を送受信する中継器である。アクセスポイントとの間で送受信を行うために、端末装置は、複数のアレイアンテナを分散して備え、アクセスポイントからの電波を受信する方向を検出し、検出した方向に応じて複数のアレイアンテナを使い分ける。他方、通信中において端末装置が支持または操作されるとき、端末のアンテナとアクセスポイントとの間で電波がユーザの手などの操作物に遮蔽されることがある。その場合には、通信品質の低下、ひいては通信の切断を招くおそれがある。【０００４】
そこで、ミリ波通信に対応した端末装置では、不用意に手や身体の他の部分で電波を遮蔽しないようにアンテナの位置をユーザに通知することが考えられる。例えば、特許文献１には、単一のアンテナの内蔵位置及び該アンテナの指向性を表示する指向性表示部を備えるアンテナ内蔵無線端末について記載されている。そして、当該アンテナ内蔵無線端末は、指向性表示部により指向特性の放射パターン図または指向特性の最大受信レベルの方向を示す矢印を表すことが記載されている。
【先行技術文献】
【特許文献】
【０００５】
【特許文献１】特開２００４−３２８４２９号公報
【発明の概要】
【発明が解決しようとする課題】
【０００６】
しかしながら、特許文献１に記載のアンテナ内蔵無線端末は、近距離無線通信に対応したものであって、通信相手である他の装置の位置や方向をユーザが認識していることを前提としている。つまり、当該アンテナ内蔵無線端末では、指向性表示部が示す方向が通信相手の方向となるように向けることで良好な通信品質を得ていた。そのため、アクセスポイントの位置が必ずしもユーザに認識されておらず、その時の電波状況に合わせて複数のアンテナの中から最適なものを選択して使用するミリ波通信では、通信品質の改善につながらないという課題が生じうる。【０００７】
本発明のいくつかの態様は、上記の点に鑑みてなされたものであり、複数のアンテナを用いるミリ波通信において通信品質の低下を回避もしくは緩和することができる端末装置、通信方法およびプログラムを提供する。
【課題を解決するための手段】
【０００８】
本発明のいくつかの態様は上記の課題を解決するためになされたものであり、本発明の一態様は、互いに異なる位置に配置された複数のアンテナと、前記複数のアンテナの少なくともいずれかの位置に関する表示情報を必要に応じて表示する表示部と、を備える端末装置である。
【発明の効果】
【０００９】
本発明のいくつかの態様によれば、ミリ波通信において通信品質の低下を回避もしくは緩和することができる。
【図面の簡単な説明】
【００１０】
【図１】本実施形態に係る端末装置の平面図である。
【図２】本実施形態に係る端末装置の透視図である。
【図３】本実施形態に係る端末装置の機能構成を示す概略ブロック図である。
【図４】本実施形態に係る端末装置の利用場面の一例を示す図である。
【図５】本実施形態に係る表示部への表示例を示す図である。
【図６】アイコンの一例を示す図である。
【図７】アイコンの他の例を示す図である。
【図８】本実施形態に係る表示部への他の表示例を示す図である。
【図９】本実施形態に係る表示部へのさらに他の表示例を示す図である。
【図１０】本実施形態に係る表示部へのまたさらに他の表示例を示す図である。
【図１１】本実施形態に係る表示制御の一例を示すフローチャートである。
【図１２】本実施形態に係る表示制御の他の例を示すフローチャートである。
【図１３】本実施形態に係る表示制御の他の例を示すフローチャートである。
【図１４】本実施形態に係る表示制御の他の例を示すフローチャートである。
【図１５】本実施形態に係る表示制御の他の例を示すフローチャートである。
【図１６】本実施形態に係る表示部に表示される設定画面の例を示す図である。
【発明を実施するための形態】
【００１１】
（第１の実施形態）
以下、図面を参照しながら本発明の第１の実施形態について説明する。
本実施形態に係る端末装置１０は、互いに異なる位置に配置された複数のアンテナと、複数のアンテナの少なくともいずれかの位置に関する表示情報を必要に応じて表示する表示部とを含んで構成される。端末装置１０は、この構成により、他の装置との間で各種のデータを搬送波としてミリ波を用いて送受信する。端末装置１０は、例えば、多機能携帯電話機（いわゆるフィーチャーフォンやスマートフォンを含む）、タブレット端末装置、ノートパソコン等である。端末装置１０は、さらに、他の周波数帯域、例えば、８００ＭＨｚ、２ＧＨｚや５ＧＨｚ等の搬送波を用いて送受信（通信）可能であってもよい。
【００１２】
（外観構成）
まず、端末装置１０の外観構成について説明する。図１は、本実施形態に係る端末装置１０の平面図である。端末装置１０の平面は、一辺の長さが他辺の長さよりも長い矩形である。以下の図１に対して右方、下方を、それぞれＸ方向、Ｙ方向と呼ぶことがある。Ｘ方向、Ｙ方向は、それぞれ端末装置１０の平面の長辺、短辺の方向に平行である。図１に対して奥行方向をＺ方向と呼ぶことがある。図１に対して手前に面する平面、奥に面する平面をそれぞれ表面、裏面と呼ぶ。
【００１３】
端末装置１０は、その表面において表示部１１を含んで構成される。表示部１１は、制御部１３から入力される画像データに基づく画像を表示する。表示部１１は、例えば、液晶ディスプレイや有機ＥＬ（ｅｌｅｃｔｒｏ−ｌｕｍｉｎｅｓｃｅｎｃｅ）ディスプレイ等である。端末装置１０の表面の大部分は、表示部１１の表示領域で覆われる。表示部１１の周縁部はベゼルによって端末装置１０の筐体に固定される。表示部１１の裏面には、その全体にわたり接触検出部１２が設置されている。表示部１１と接触検出部１２とを一体化してタッチパネルが形成される。接触検出部１２は、表示部１１の表面にユーザの指などの接触物が接触した接触領域を検出し、検出した接触領域を示す接触信号を制御部１３に出力する。例えば、端末装置１０がスマートフォンである場合、その典型的な寸法として、幅、高さ、厚さは、それぞれ６０〜１００ｍｍ、１２０〜１９０ｍｍ、６〜１５ｍｍである。
【００１４】
（アンテナ配置）
次に、端末装置１０におけるアンテナおよび関連部材の配置について説明する。図２は、本実施形態に係る端末装置１０の透視図である。
端末装置１０は、２個の支持検出部１５−１、１５−２、表示制御部１６、アンテナ制御部１７、３本の導波路Ｗｇ１、Ｗｇ２、Ｗｇ３、および３個のアレイアンテナ１９−１、１９−２、１９−３を含んで構成される。
【００１５】
支持検出部１５−１、１５−２は、所定の支持領域においてユーザによる支持の有無を検出する。支持検出部１５−１、１５−２は、支持の有無を示す支持信号を表示制御部１６に出力する。支持検出部１５−１、１５−２は、それぞれ端末装置１０の左辺、右辺の中点よりも下方の側面に設置されている。これらの位置は、アレイアンテナ１９−１、１９−２、１９−３のいずれからも、所定の距離以上離れた位置である。所定の距離は、例えば、人間の平均的な親指の長さと同等の距離である。そのため、これらの位置において把持されても、アレイアンテナ１９−１、１９−２、１９−３のいずれも遮蔽される可能性が低い。また、短辺の方向が水平方向として用いられる場合、長辺の方向が水平方向として用いられる場合のいずれにおいても、そのすべてが同時に遮蔽される可能性が低い位置に配置されることが望ましい。従って、本実施形態では、後述するように主面の形状が矩形である端末装置１０が有する４つの角部のうちの１つの角部と、当該１つの角部の対角を挟む長辺上と短辺上の各１点に、それぞれアレイアンテナ１９−２、１９−１、１９−３が配置されている。支持検出部１５−１、１５−２は、例えば、圧力センサを含んで構成されるグリップセンサである。なお、以下の説明では、アレイアンテナを単にアンテナと呼ぶことがある。
【００１６】
表示制御部１６は、アンテナ制御部１７からの動作情報に基づいて動作するアンテナを示す表示情報の表示を制御する。表示制御部１６は、例えば、動作するアンテナを平面視した位置にアンテナのアイコンを示す画像データを表示部１１に出力する。表示制御部１６は、接触検出部１２からの接触信号、支持検出部１５−１、１５−２からの支持信号、アプリケーション処理部１４（後述）からの各種の信号のいずれか、またはそれらの組み合わせに基づいてアンテナの位置に関する表示を制御してもよい。より具体的な表示例については、後述する。
【００１７】
アンテナ制御部１７は、アレイアンテナ１９−１、１９−２、１９−３のそれぞれについてビームスキャンを行う。ビームスキャンとは、アレイアンテナ１９−１、１９−２、１９−３のそれぞれの指向性が最も高いピーク方向を順次変更し、受信強度が最も高いピーク方向を探索することである。探索したピーク方向は、端末装置１０を基準としたアクセスポイントの方向に相当する。ピーク方向を変更するために、アンテナ制御部１７は、各アレイアンテナを構成する複数のアンテナ素子間で、それぞれ受信される受信信号間で位相差を与え、それらの位相差が可変である位相器を備える。アンテナ制御部１７は、位相差を与えて得られる信号をアンテナ素子間で合成して合成受信信号を得る。アンテナ制御部１７は、得られた合成受信信号の強度である受信強度をピーク方向毎に測定する。アンテナ制御部１７は、アレイアンテナ１９−１、１９−２、１９−３のうち受信強度が最も高いピーク方向を与えるアレイアンテナを、動作させるアレイアンテナとして定める。
アンテナ制御部１７は、動作させるアレイアンテナを示す動作情報を表示制御部１６に出力する。
【００１８】
アンテナ制御部１７は、通信制御部１８（後述）から入力されるミリ波帯域の送信信号を、動作させるアレイアンテナを構成するアンテナ素子に供給する。アンテナ制御部１７は、受信強度が最も高いピーク方向に対応する位相差をアンテナ素子間の位相差として設定する。その位相差が通信に用いる位相差として設定されるので、ピーク方向への送信強度が最も高い送信信号のビームが形成される。また、アンテナ制御部１７は、動作させるアレイアンテナを構成するアンテナ素子が個々に受信した信号について、設定した位相差を与えて得られる信号をアンテナ素子間で合成して合成受信信号を得る。形成されるビームは、ピーク方向からの受信強度が最も高い指向性を示す。アンテナ制御部１７は、得られた合成受信信号を受信信号として通信制御部１８に出力する。
【００１９】
アレイアンテナ１９−１、１９−２、１９−３は、それぞれ導波路Ｗｇ１、Ｗｇ２、Ｗｇ３を介してアンテナ制御部１７と接続され、アンテナ制御部１７からの送信信号に基づく電波を放射する。アレイアンテナ１９−１、１９−２、１９−３は、到来した電波に基づく受信信号をアンテナ制御部１７に出力する。アレイアンテナ１９−１、１９−２、１９−３は、それぞれ複数のアンテナ素子を備え、複数のアンテナ素子は、所定の方向に所定の間隔で規則的に配列される。アレイアンテナ１９−１、１９−２、１９−３は、例えば、マイクロストリップアンテナである。
【００２０】
図２に示す例では、アレイアンテナ１９−１、１９−２、１９−３は、それぞれ端末装置１０の左辺の中点よりも上方、右上端、下辺の中点に設置されている。アレイアンテナ１９−１、１９−２、１９−３は、それぞれビームスキャンを行う際に、ピーク方向を３次元方向に設定することができる。ピーク方向の成分には、端末装置１０の主面内の方向である方位角と、該主面から離れる方向である仰角が含まれる。但し、アレイアンテナ１９−１のピーク方向の方位角は、端末装置１０本体の上方から左方を経て下方までの１８０°の範囲内で設定可能である。アレイアンテナ１９−２のピーク方向の方位角は、端末装置１０本体の下方から右方、上方を経て左方までの２７０°の範囲内で設定可能である。アレイアンテナ１９−３のピーク方向の方位角は、端末装置１０本体の左方から下方を経て右方までの１８０°の範囲内で設定可能である。これにより、端末装置１０は、あらゆる方向に設置されたアクセスポイントを検知することができ、検知したアクセスポイントを介した通信が可能となる。
【００２１】
（機能構成）
次に、端末装置１０の機能構成について説明する。図３は、本実施形態に係る端末装置１０の機能構成を示す概略ブロック図である。
端末装置１０は、表示部１１、接触検出部１２、制御部１３、支持検出部１５−１、１５−２、アンテナ制御部１７、通信制御部１８、およびアレイアンテナ１９−１、１９−２、１９−３を含んで構成される。
【００２２】
制御部１３は、端末装置１０の動作を制御する。制御部１３は、ＣＰＵ（Ｃｅｎｔｒａｌ  Ｐｒｏｃｅｓｓｉｎｇ  Ｕｎｉｔ）等の汎用の制御デバイスを含んで構成される。制御部１３は、所定の制御プログラムで指示される処理を行って、その機能を実現してもよい。制御部１３は、アプリケーション処理部１４、および表示制御部１６を含んで構成される。
【００２３】
アプリケーション処理部１４は、所定のアプリケーションプログラム（以下、単にアプリケーションと呼ぶ）で指示される処理を実行する。アプリケーションには、例えば、画像データを取得し、取得した画像データを表示部１１に表示制御部１６を介して出力する処理（画像表示）を指示するものがある。また、アプリケーションには、通信制御部１８に他装置との通信開始を指示し、他装置との接続が確立した後、画像データその他のユーザデータを送受信する処理（通信）を指示するものがある。他装置との通信において送受信対象となるデータは、画像データ、他のアプリケーションなど、主に大容量のデータファイルである。
【００２４】
通信制御部１８は、端末装置１０と他装置との間の通信に係る処理を行う。通信制御部１８は、例えば、アプリケーション処理部１４から入力される基底帯域（ベースバンド）の送信信号を変調し、変調により得られる変調信号をミリ波帯域の送信信号に変換（アップコンバート）して、変換された送信信号をアンテナ制御部１７に出力する。また、通信制御部１８は、アンテナ制御部１７から入力されるミリ波帯域の受信信号を基底帯域（ベースバンド）の変調信号に変換（ダウンコンバート）し、変換された変調信号を復調して基底帯域の受信信号を得る。通信制御部１８は、得られた受信信号をアプリケーション処理部１４に出力する。その他、通信制御部１８は、例えば、アクセスポイントその他の基地局装置への位置登録、通信相手となる相手先の機器との間の接続に係る処理を行う。
【００２５】
（利用場面）
次に、端末装置１０の利用場面の例について説明する。図４は、本実施形態に係る端末装置１０の利用場面の一例を示す図である。アンテナの指向性パターンは一般的には３次元的であるが、図４に示す例では、アレイアンテナ１９−２の右上端を起点とする曲線、アレイアンテナ１９−３の下端を起点とする曲線は、ピーク方向毎の指向性パターンを表現している。図４において、アレイアンテナ１９−２に対する実線は、その時点においてアレイアンテナ１９−２が動作中（アクティブ）であることを示し、アレイアンテナ１９−３に対する破線は、その時点においてアレイアンテナ１９−３が動作停止中（非アクティブ）であることを示す。曲線の矢印は、ビームスキャンにより指向性パターンが順次切り替わることを示す。内側を塗りつぶした曲線Ｌｂ’は、アンテナ制御部１７により受信強度が最も高いと判定されたピーク方向に係る指向性パターンを示す。つまり、このピーク方向は、アクセスポイントの方向に相当する。このように、通信に際しては、その方向への送信強度が最も高くなるように送信信号のビームが形成され、その方向からの受信強度が最も高くなるように受信信号の指向性が調整される。
【００２６】
他方、端末装置１０は、ユーザの掌Ｐｍと指Ｆｉ１、Ｆｉ２、Ｆｉ３で支持されている。ユーザの掌Ｐｍは、端末装置１０の右下端に接している。指Ｆｉ１、Ｆｉ２は、それぞれ端末装置１０の左辺の一部を把持している。指Ｆｉ３は、端末装置１０の右辺の一部を把持している。ここで、アレイアンテナ１９−１は、その表面に接した指Ｆｉ１により遮蔽されているため、アレイアンテナ１９−１においてビームスキャンを行っても、十分な受信強度が得られず、他装置の方向を検出できないことがある。また、ビームスキャンにより他装置の方向を検出できても、通信に用いるアレイアンテナが遮蔽されると通信品質の低下や通信の切断が起きることがある。そのため、ビームスキャン中もしくは通信中において動作しているアレイアンテナで送受信される電波がユーザの指、その他の物体によって遮蔽されないことが望ましい。
【００２７】
（表示例）
次に、表示制御部１６によるアンテナの位置に関する表示例について説明する。
表示制御部１６は、動作するアンテナの位置から所定範囲内においてアンテナのアイコンを表示部１１に表示させる。図５は、本実施形態に係る表示部１１への表示例を示す図である。図５は、アレイアンテナ１９−２が動作する（アクティブな）アンテナであるときにアイコンＩｃ−２が表示部１１の表示領域に表示される。アイコンＩｃ−２が表示される領域は、アレイアンテナ１９−２を平面視した位置から所定範囲内に含まれる。所定範囲は、アレイアンテナ１９−２に到来する電波もしくはアレイアンテナ１９−２が放射する電波が遮蔽されない位置を網羅する範囲、例えば、その一辺の長さが人間の平均的な指の幅と同等の大きさの範囲である。このアイコンは、動作するアレイアンテナ１９−２がその近傍に存在することを表す。この表示を視認したユーザは、アレイアンテナ１９−２の周囲を指などの接触物により遮蔽しないことが促される。破線の円ｌｃ−１、ｌｃ−３は、アレイアンテナ１９−１、１９−３の位置から所定範囲内の領域を説明することを目的とする円であり、実際には表示されない。
【００２８】
表示制御部１６が、アイコンＩｃ−２を表示させるタイミングは、ビームスキャンの開始前からビームスキャンの実行中や、ビームスキャンによりアレイアンテナ１９−２を通信において動作させるアンテナとして定めたとき、などである。ビームスキャン中または通信中において動作するアレイアンテナ１９−２の位置が表されるので、アレイアンテナ１９−２を覆わないことがユーザに対して促される。但し、アレイアンテナ１９−２が動作しているときに、アイコンＩｃ−２は常に表示されなくてもよい。表示制御部１６は、表示開始後、所定時間経過後にアイコンＩｃ−２の表示を消去してもよい。この所定時間は、例えば、１秒〜３秒、などである。
【００２９】
図６は、アイコンＩｃの一例を示す図である。アイコンＩｃは、図５に示すアイコンＩｃ−２と同様の図案を有する。アイコンＩｃは、左から順に１本のアンテナと３本の縦長のアンテナバーを含んで構成される。表示制御部１６は、受信強度が高いほど、表示するアンテナバーの本数を多くしてもよい。そこで、端末装置１０の記憶部（図示せず）には、受信強度の範囲と、アンテナバーの本数（０〜３本）のそれぞれとの対応関係を示す受信強度データを予め記憶させておく。表示制御部１６は、受信強度データを参照して、受信信号の受信強度に対応するアンテナバーの本数を定めることができる。このように、表示制御部１６からの指示に基づいて表示部１１に表示されたアイコンＩｃを視認したユーザは、そのアイコンＩｃの中のアンテナバーの本数を視認することで、その時点における受信強度を直感的に把握することができる。ひいては、ユーザには表示位置の近傍のアレイアンテナが送受信する電波の遮蔽を防ぐことが促される。
【００３０】
図７は、アイコンＩｃの他の例を示す図である。図７に示すアイコンＩｃは、図６に示すアイコンＩｃにおいて、その右上端にさらに太い矢印（Ｄｎ）が配置されて構成される。矢印の向きは、表示制御部１６によりビームスキャンにより定めたピーク方向を所定の方向間隔で離散化して得られる方向である。方向間隔は、例えば、１°〜９０°のいずれかである。方向間隔が小さいほど、ユーザに対して、ピーク方向に関するより正確な情報を提供することができる。
図８に示す表示例では、アイコンＩｃ−２として、図７のアイコンＩｃのように離散化したピーク方向を示す矢印を含むアイコンが表示部１１に表示される。従って、表示制御部１６からの指示に基づいて表示部１１に表示されたアイコンＩｃ−２を視認したユーザは、そのアイコンＩｃ−２の中の矢印の向きを視認することで、受信信号の到来方向、もしくは送信信号の放射方向を直感的に把握することができる。ユーザは、端末装置１０の向きに応じたレベルバーの本数の変化をさらに視認することで、受信強度が十分に確保できるように端末装置１０の向きを一定に維持することが促される。
【００３１】
図９は、本実施形態に係る表示部１１へのさらに他の表示例を示す図である。図９に示す例では、表示制御部１６は、アレイアンテナ１９−２が動作する（アクティブな）アンテナであることを示すアイコンＩｃ−２の他に、アイコンＩｃ−１、Ｉｃ−３を表示部１１に表示させる。アイコンＩｃ−１、Ｉｃ−３が表示される領域は、それぞれアレイアンテナ１９−１、１９−３を平面視した位置から所定範囲内に含まれる。アレイアンテナ１９−１、１９−３は、それぞれ動作しない（非アクティブな）アンテナであるため、表示制御部１６は、アイコンＩｃ−１、Ｉｃ−３の表示態様を、アイコンＩｃ−２の表示態様とは異なる表示態様で表示させる。図９に示すアイコンＩｃ−２は、ピーク方向として端末装置１０に対して右方を指示する矢印を含んで構成される。アイコンＩｃ−２を視認したユーザは、受信信号の到来方向が端末装置１０に対して右方であることを知得するとともに、その方向に端末装置１０の向きを保持することが促される。
【００３２】
また、図９に示す例では、アイコンＩｃ−２はアイコンＩｃ−１、Ｉｃ−３よりも濃く表示される。この表示によって、背景とのコントラストを顕著にするとともに、動作する（アクティブな）アンテナであるアレイアンテナ１９−２が動作しない（非アクディブ）なアンテナであるアレイアンテナ１９−１、１９−３から識別される。なお、表示態様は、図９に示すように輝度に限られず、色相、形状、装飾、もしくはこれらの組み合わせの相違によって、動作する（アクティブな）アンテナと動作しない（非アクティブな）アンテナとの区別を可能にするものであってもよい。従って、ユーザは、さらにその時点において動作しないアンテナについても、その存在と位置を把握ことができる。そのため、ユーザは、その後に動作する（アクティブな）状態になる可能性があるアンテナが送受信する電波の遮蔽を回避することが促される。
【００３３】
図１０は、本実施形態に係る表示部１１へのまたさらに他の表示例を示す図である。図１０に示す例では、表示制御部１６は、アイコンＩｃ−２に加え、マーカＭｋ−１、Ｍｋ−２を表示させる。マーカＭｋ−１、Ｍｋ−２は、端末装置１０を把持するための目標領域をユーザに案内するための画像である。マーカＭｋ−１、Ｍｋ−２が表示される位置は、アレイアンテナ１９−１、１９−２、１９−３のいずれからも、所定の距離以上離れた位置である。また、この位置は、ユーザの掌で端末装置１０の下辺が支持されるときに指が届くように端末装置１０の左右各辺の中点よりも下方に設定されている。ユーザは、これらの位置に自己の指を置いて端末装置１０を支持し、その他の位置を把持することを避けることによって、アレイアンテナ１９−１、１９−２、１９−３のいずれもが遮蔽されることが回避される。
【００３４】
（表示制御）
次に、本実施形態に係る端末装置１０の表示制御の例について説明する。
図１１は、本実施形態に係る表示制御の一例を示すフローチャートである。
（ステップＳ１０１）制御部１３は、ＯＮ／ＯＦＦスイッチが押下されるとき電源からの電力の供給を開始する。制御部１３は、端末装置１０の各構成部の機能を起動する。その後、ステップＳ１０２の処理に進む。
（ステップＳ１０２）表示制御部１６は、表示部１１に対しアイコンＩｃ−１、Ｉｃ−２、Ｉｃ−３の全て（全アイコン）を、それぞれ対応するアレイアンテナ１９−１、１９−２、１９−３から所定範囲内の位置に表示させる。この時点では、ビームスキャンがまだ開始されていない。そのため、表示制御部１６が表示させるアイコンＩｃ−１、Ｉｃ−２、Ｉｃ−３には、電波の到来方向を示す矢印や、受信レベルを示すレベルバーは含まれない。その後、ステップＳ１０３の処理に進む。
【００３５】
（ステップＳ１０３）アンテナ制御部１７は、アレイアンテナ１９−１、１９−２、１９−３を動作させビームスキャンを行う。ビームスキャンは、アレイアンテナごとに順番に行ってもよいし、全てのアレイアンテナで同時に行われてもよい。前者の場合、どのアレイアンテナからビームスキャンを行うかは、そのビームスキャンごとにアンテナ制御部１７においてランダムに決定してもよい。また、どのアレイアンテナからビームスキャンを行うかは、事前に設定された順番に従ってもよい。この場合、ビームスキャンを行う順番は常に固定である。その後、ステップＳ１０４に進む。
（ステップＳ１０４）アンテナ制御部１７は、ビームスキャンによって検出された受信強度が最も高いピーク方向と、その受信強度を得るアレイアンテナを、それぞれ受信方向、動作する（アクティブな）アレイアンテナとして定める。その後、ステップＳ１０５に進む。
（ステップＳ１０５）表示制御部１６は、表示部１１に対し、通信に使用する（動作する）アレイアンテナとして定めたアレイアンテナに対応するアイコン（動作アイコン）を、そのアレイアンテナから所定範囲内の位置に表示させる。その後、ステップＳ１０６の処理に進む。
【００３６】
（ステップＳ１０６）通信制御部１８は、受信信号の送信元であるアクセスポイントを介してアクセス可能なネットワークとの接続処理を行う。通信制御部１８は、例えば、自装置の位置登録要求（例えば、アタッチ要求（Ａｔｔａｃｈ  Ｒｅｑｕｅｓｔ））をネットワークの構成要素であるＭＭＥ（Ｍｏｂｉｌｉｔｙ  Ｍａｎａｇｅｍｅｎｔ  Ｅｎｔｉｔｙ）に対して行う。通信制御部１８は、ＭＭＥから、その位置登録要求に対する許可応答（例えば、アタッチ要求に対するアタッチ許可応答（Ａｔｔａｃｈ  Ａｃｃｅｐｔ））を受信して、ＭＭＥにおいて自装置の位置登録が許可されたことを確認した後、自装置からネットワークを介して接続される相手先機器に対する送信、その相手先機器からの受信ともに可能となる。その後、図１１に示す処理を終了する。
【００３７】
なお、接続に成功したとき、表示制御部１６は、アイコンの表示態様を一時的に変更してもよい。より具体的には、通信制御部１８が接続に成功したと判定するとき、表示制御部１６は、表示させるアイコンの色を水色から明るい緑色に変更する。さらに所定時間（例えば、１〜２秒）が経過した後、表示制御部１６は、明るい緑色からもとの水色に変更する。また、通信制御部１８が接続に失敗したと判定するとき、表示制御部１６は、表示させるアイコンの色を水色から赤色に変更してもよい。その後、通信制御部１８は、接続処理を再度行い、表示制御部１６は、接続に成功するまで赤色の表示を維持してもよい。
通信制御部１８は、例えば、接続要求信号（前述の位置登録要求や、アタッチ要求でもよい）を検知されたアクセスポイントに送信してから、所定時間（例えば、３〜５秒）以内に接続確認応答（ＡＣＫ）（前述の位置登録要求に対する許可応答や、アタッチ許可応答でもよい）を受信するとき接続に成功したと判定する。通信制御部１８は、接続要求信号（前述の位置登録要求や、アタッチ要求でもよい）をアクセスポイントに送信してから、所定時間以内にアクセスポイントから接続拒否応答（ＮＡＣＫ）（前述の位置登録要求に対する拒否応答（例えば、アタッチ拒否応答（Ａｔｔａｃｈ  Ｒｅｊｅｃｔ）でもよい）を受信するとき、または所定時間を経過してもアクセスポイントから応答（前述の位置登録要求に対する許可応答、アタッチ許可応答、位置登録要求に対する拒否応答や、アタッチ拒否応答でもよい）を受信しないとき接続に失敗したと判定する。これらの表示に接したユーザは、アレイアンテナにより送受信される電波の遮蔽とユーザは接続の成否との因果関係を直感的に知得することができる。
【００３８】
図１１に示す処理によれば、ビームスキャン前に全てのアレイアンテナ１９−１、１９−２、１９−３について、それぞれアイコンＩｃ−１、Ｉｃ−２、Ｉｃ−３が表示部１１に表示される。そのため、ユーザには全てのアレイアンテナを遮蔽しないように端末装置１０を支持することが促されるので、ビームスキャンを確実に行うことができる。また、ビームスキャンの終了後、通信の開始前に通信時に動作させるアレイアンテナに係るアイコンが表示部１１に表示される。そのため、ユーザには通信に用いられるアレイアンテナを遮蔽しないように端末装置を支持することが促されるので、通信品質の低下が緩和もしくは回避され、ユーザが意図しない通信の切断が回避される。また、通信に用いられないアレイアンテナに対応するアイコンは表示されないので、そのアレイアンテナを遮蔽する行動が許容されるユーザビリティが必要以上に損なわれない。また、表示制御部１６は、通信に用いられないアレイアンテナに対応するアイコンを、通信に用いられるアイコンよりも濃く表示させてもよい。その場合には、ユーザは、通信に用いられるアレイアンテナと区別して、通信に用いられないアレイアンテナの存在を把握させることができる。これにより、その直後に動作する可能性があるアレイアンテナの遮蔽を回避することができる。
【００３９】
図１２は、本実施形態に係る端末装置１０の表示制御の他の例を示すフローチャートである。
図１２に示す処理は、図１１のステップＳ１０２と同時もしくは前後、ステップＳ１０５と同時もしくは前後、またはそのいずれの時点において開始されてもよい。
（ステップＳ１１１）表示制御部１６は、表示部１１に対し、アレイアンテナ１９−１、１９−２、１９−３のいずれからも所定距離以上離れた位置にマーカＭｋ−１、Ｍｋ−２を表示させる。その後、ステップＳ１１２に進む。
（ステップＳ１１２）接触検出部１２は、ユーザが端末装置１０を把持する把持領域を接触領域として検出する。通信制御部１８には、制御部１３を介して接触検出部１２から接触信号が入力される。その後、ステップＳ１１３に進む。
（ステップＳ１１３）通信制御部１８は、接触信号が示す接触領域の全体が、表示部１１に表示させたマーカＭｋ−１、Ｍｋ−２の表示領域に含まれるか否かを判定する。含まれると判定するとき、通信制御部１８は、通信を開始すると判定する。ここで、通信とは、他装置との各種のデータの送受信の他、例えば、ステップＳ１０３のビームスキャン、ステップＳ１０６の接続処理のように、他装置とのデータの送受信の開始前に行われる処理も含む。その後、図１２に示す処理を終了する。
【００４０】
図１２に示す処理によれば、マーカＭｋ−１、Ｍｋ−２の領域が把持されなければ通信が開始されない。そのため、マーカＭｋ−１、Ｍｋ−２の領域を把持することをユーザに対して動機づけるとともに、マーカＭｋ−１、Ｍｋ−２以外の領域において把持されることによるアレイアンテナ１９−１、１９−２、１９−３の遮蔽が回避される。ひいては、通信品質の低下が緩和もしくは回避され、ユーザが意図しない通信の切断が回避される。
【００４１】
図１３は、本実施形態に係る端末装置１０の表示制御処理のさらに他の例を示すフローチャートである。
端末装置１０は、図１３に示す処理を、他の機器と通信中に実行する。
（ステップＳ２０１）通信制御部１８は、他装置との通信状態が変化したか否かを判定する。通信状態の変化には、接続の開始、通信の開始、通信の切断、接続先のアクセスポイントの変更（ハンドオーバー）、など通信品質の低下もしくは通信の成否に関するイベントが含まれる。通信制御部１８は、通信状態が変化したと判定するとき（ステップＳ２０１  ＹＥＳ）、ステップＳ２０２の処理に進む。通信制御部１８が、通信状態が変化していないと判定するとき（ステップＳ２０１  ＮＯ）、ステップＳ２０１の処理を繰り返す。
（ステップＳ２０２）表示制御部１６は表示部１１に対し、通信に使用する（アクティブな）アレイアンテナとして定めたアレイアンテナに対応するアイコン（動作アイコン）を、そのアレイアンテナから所定範囲内の位置に所定時間（例えば、５〜１０秒）表示させる。その後、ステップＳ２０１の処理に戻る。
【００４２】
図１３に示す処理によれば、通信状態が変化する都度、通信に使用されるアレイアンテナの近傍に、アイコンが一時的に表示されるので、そのアレイアンテナにより送受信される電波の遮蔽を避けることをユーザに促すことができる。ひいては、意図しない通信品質の低下、通信の切断を回避することができる。
なお、通信状態が変化する都度、全アイコンを表示し、ビームスキャンを行った上で動作アイコンを表示する（図１１のステップＳ１０２〜ステップＳ１０５の処理を行う）ように構成してもよい。
【００４３】
図１４は、本実施形態に係る端末装置１０の表示制御処理のさらに他の例を示すフローチャートである。
端末装置１０は、図１４に示す処理を、他の機器と通信中に実行する。端末装置１０は、図１４に示す処理を、図１３に示す処理と並列に行ってもよい。
（ステップＳ２１１）通信制御部１８は、アクセスポイントからの受信信号に基づいて通信品質を取得する。通信制御部１８は、通信品質を表す指標として、例えば、受信電力、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、信号干渉雑音比（ＳＩＮＲ：Ｓｉｇｎａｌ−ｔｏ−Ｉｎｔｅｒｆｅｒｅｎｃｅ  Ｎｏｉｓｅ  Ｒａｔｉｏ）、ビットレート、などのいずれか、またはこれらの所定の組み合わせを使用してもよい。その後、ステップＳ２１２の処理に進む。
【００４４】
（ステップＳ２１２）表示制御部１６は、取得した通信品質が、所定の通信品質よりも低下したか否かを判定する。低下したと判定するとき（ステップＳ２１２  ＹＥＳ）、ステップＳ２１３の処理に進む。低下しないと判定するとき（ステップＳ２１２  ＮＯ）、ステップＳ２１１の処理に戻る。
（ステップＳ２１３）表示制御部１６は、表示部１１に対して動作している（アクティブな）アレイアンテナに対応するアイコン（動作アイコン）を、そのアレイアンテナから所定範囲内の位置に表示させる。その後、ステップＳ２１４の処理に進む。
（ステップＳ２１４）通信制御部１８は、アクセスポイントからの受信信号に基づいて通信品質を取得する。その後、ステップＳ２１５の処理に進む。
【００４５】
（ステップＳ２１５）表示制御部１６は、取得した通信品質が、所定の通信品質以上に回復したか否かを判定する。回復したと判定するとき（ステップＳ２１５  ＹＥＳ）、ステップＳ２１６の処理に進む。回復していないと判定するとき（ステップＳ２１５  ＮＯ）、ステップＳ２１４の処理に戻る。
（ステップＳ２１６）表示制御部１６は、表示部１１に対して表示させたアイコンを消去させる。その後、ステップＳ２１１の処理に戻る。
【００４６】
図１４に示す処理によれば、通信品質が所定の通信品質よりも低くなったとき、通信に用いられるアレイアンテナに対応するアイコンが表示される。そのため、ユーザは、表示されるアイコンの位置の近傍を遮蔽しないように促される。従って、アレイアンテナの遮蔽による通信品質の低下が継続もしくは助長することが回避され、通信が切断される前に通信品質を回復することができる。
なお、通信品質が低下した際に、全アイコンを表示し、ビームスキャンを行った上で動作アイコンを表示する（図１１のステップＳ１０２〜ステップＳ１０５の処理を行う）ように構成してもよい。
【００４７】
図１５は、本実施形態に係る端末装置１０の表示制御のまたさらに他の例を示すフローチャートである。図１５に示す処理は、端末装置１０の起動中に実行される。図１５に示す処理は、ステップＳ３０１、Ｓ３０２およびステップＳ１０２−Ｓ１０６を有する。
（ステップＳ３０１）表示制御部１６は、支持検出部１５−１、１５−２から入力される支持信号に基づいて、支持検出部１５−１、１５−２の一方または両方の領域が、端末装置１０が支持される支持領域として検出されるか否かを判定する。支持検出部１５−１、１５−２により検出される領域は、支持されてもアレイアンテナ１９−１、１９−２、１９−３のいずれも遮蔽されない目標領域である。つまり、ステップＳ３０１の処理は、支持領域の少なくとも一部が目標領域に含まれるか否かを判定する処理に相当する。検出されると判定されるとき（ステップＳ３０１  ＹＥＳ）、ステップＳ３０２の処理に進む。
検出されないと判定されるとき（ステップＳ３０１  ＮＯ）、ステップＳ３０１の処理を繰り返す。
【００４８】
（ステップＳ３０２）表示制御部１６は、その時点において他の機器と通信中であるか否かを判定する。通信中であると判定するとき（ステップＳ３０２  ＹＥＳ）、ステップＳ１０７の処理に進む。ステップＳ１０７の処理は、ステップＳ１０５の処理と同様であるため、その説明を省略する。ステップＳ１０７の処理が終了した後、図１５の処理を終了する。通信中ではないと判定するとき（ステップＳ３０２  ＮＯ）、ステップＳ１０２の処理に進む。ステップＳ１０２−Ｓ１０６の処理が終了した後、図１５の処理を終了する。
【００４９】
図１５に示す処理によれば、端末装置１０が支持されるときに、動作する（アクティブな）アレイアンテナを表すアイコンがそのアレイアンテナの近傍に表示される。表示されるアイコンの位置への把持をユーザが避けることが促されるので、動作するアレイアンテナにより送受信される電波の遮蔽が回避される。そのため、通信品質の低下や、新たに行われる通信の失敗が回避される。なお、表示制御部１６は、ステップＳ３０１において支持検出部１５−１、１５−２からの支持信号に代え、または支持信号とともに接触検出部１２からの接触信号に基づいて、接触検出部１２から支持領域を検出してもよい。また、各種センサ（ジャイロセンサ、加速度センサ、地磁気センサなど）の出力に基づいて、端末の姿勢の変化を検出した場合に、動作アイコンを表示するように構成してもよい。
【００５０】
（設定例）
上述したアイコンＩｃ−１〜Ｉｃ−３の表示の要否、マーカＭｋ−１、Ｍｋ−２の表示要否は、ユーザの操作に基づいて設定可能であってもよい。表示制御部１６は、表示部１１に表示される所定の設定アイコン（図示せず）の領域が押下されるとき、所定の設定画面Ｓｍを表示部１１に表示させてもよい。押下とは、ユーザの操作に応じて生成される接触信号に基づいて、表示される領域が指示されることを意味する。
【００５１】
図１６は、本実施形態に係る表示部１１に表示される設定画面の例として設定画面Ｓｍを示す図である。設定画面Ｓｍには、タイトルとして「画面設定」の文字列、アイコンの表示の要否、マーカの表示の要否を指定するためのチェックボックス、「キャンセル」ボタン、「設定」ボタンが含まれる。チェックの記号が含まれるチェックボックスは、表示要を示し、チェックの記号が含まれないチェックボックスは表示否を示す。表示の要否は、チェックボックスの押下に応じて切り替わる。「設定」ボタンが押下されるとき、表示制御部１６は、設定画面Ｓｍ上で指示された表示の要否を示す設定情報を記憶部に記憶し、表示部１１に表示させた設定画面Ｓｍを消去する。「キャンセル」ボタンが押下されるとき、表示制御部１６は、新たな設定情報を記憶せずに、表示部１１に表示させた設定画面Ｓｍを消去する。
【００５２】
記憶部に記憶される設定情報がアイコンの表示要を示すとき、表示制御部１６は、動作するアレイアンテナに対応する上述のアイコンを表示部１１に表示させる。また、記憶部に記憶される設定情報がアイコンの表示否を示すとき、表示制御部１６は、動作するアレイアンテナに対応する上述のアイコンを表示部１１に表示させない。そして、記憶部に記憶される設定情報がマーカの表示要を示すとき、表示制御部１６は、上述したマーカを表示部１１に表示させる。さらに、記憶部に記憶される設定情報がマーカの表示否を示すとき、表示制御部１６は、上述したマーカを表示部１１に表示させない。
【００５３】
この構成により、ユーザは、アイコンの表示の要否、マーカの表示の要否を任意に設定することができる。なお、表示制御部１６は、アプリケーション処理部１４が起動するアプリケーションの種類に応じて表示の要否を定めてもよい。例えば、ネットワークコンテンツの閲覧、ダウンロード等、大容量の通信を伴う処理を指示するアプリケーションの起動中において、表示制御部１６は、アイコン、マーカともに表示要と定める。通信を伴わない処理を指示するアプリケーションのみが起動しているときは、表示制御部１６は、アイコン、マーカともに表示否と定める。アプリケーションが上述したアイコンならびにマーカの表示領域に、画面部品が表示される場合には、表示制御部１６は、該当するアイコンまたはマーカを表示させなくてもよい。画面部品は、ボタン、チェックボックス、リストなどユーザの操作による押下の対象となる画像である。画面部品は、ＵＩ（Ｕｓｅｒ  Ｉｎｔｅｒｆａｃｅ）コンポーネントとも呼ばれる。また、表示制御部１６は、画面部品と表示領域が少なくともその一部が重なるアイコンまたはマーカの表示を行わなくてもよい。そのアイコンまたはマーカの表示の要否は、上述したように設定可能であってもよい。このように、アイコンまたはマーカは常に表示されるのではなく、必要とされる場合に表示されるので、画面部品その他の情報の表示が妨げられない。そのため、アイコンまたはマーカの表示によるユーザビリティの低下が抑制される。
【００５４】
以上に説明したように、本実施形態に係る端末装置１０は、互いに異なる位置に配置された複数のアンテナと、複数のアンテナの少なくともいずれかの位置に関する表示情報を必要に応じて表示する表示部１１とを備える。
この構成により、ユーザに表示情報を通じてアンテナの位置を通知することができる。
アンテナを遮蔽する行動を避けることをユーザに促すことができるので、通信品質の低下を回避もしくは緩和することができる。
【００５５】
また、端末装置１０は、各アンテナの動作を制御するアンテナ制御部１７と、表示情報として、動作するアンテナを示す情報を表示部１１の当該動作するアンテナの位置から所定範囲内の位置に表示させる表示制御部１６と、を備える。
この構成により、動作するアンテナとその位置をユーザに通知することができる。動作するアンテナを遮蔽する行動を避けることをユーザに促すことができるので、通信品質の低下を回避もしくは緩和することができる。
【００５６】
また、表示制御部１６は、表示情報において動作するアンテナを動作しないアンテナと異なる態様で表示させることを特徴とする。
この構成により、動作するアンテナと動作しないアンテナとの区別と、それらのアンテナの位置をユーザに通知することができる。そのため、動作するアンテナを遮蔽する行動を避けることを促すとともに、動作しないアンテナを遮蔽することが許容されるので、ユーザビリティの低下を抑制することができる。
【００５７】
また、端末装置１０は、他装置との通信を制御する通信制御部１８を備え、表示制御部１６は、他装置との通信中において表示情報を表示させることを特徴とする。
この構成により、表示の必要がある場合として通信中において、通信に用いられているアンテナとその位置をユーザに通知することができる。そのため、アンテナを遮蔽する行動を避けることをユーザに促すことができるので、通信品質の低下を回避もしくは緩和することができる。また、通信中以外の時点では、アンテナを遮蔽する行動が許容されるので、ユーザビリティの低下を抑制することができる。
【００５８】
また、表示制御部１６は、通信品質が所定の通信品質よりも低下するとき表示部１１に表示情報を表示させ、他装置との通信品質が所定の通信品質以上になるとき表示情報を表示部１１に表示させない。
この構成により、表示の必要がある場合として、通信品質が低下したときにアンテナとその位置をユーザに通知することができる。そのとき、アンテナを遮蔽する行動を避けることをユーザに促すことができるので、アンテナの遮蔽により通信品質の低下を回避もしくは緩和することができる。また、通信品質が回復したときには表示情報が表示されないので、表示部１１の表示領域を活用することができる。
【００５９】
また、アンテナ制御部１７は電波の受信方向を検出し、表示制御部１６は表示情報として検出された受信方向に関する情報をさらに表示させることを特徴とする。
この構成により、表示の必要がある場合として電波の受信方向の検出後の通信開始前において、電波の受信方向に関する情報がユーザに通知されるので、端末装置１０の向きの変動や受信方向への遮蔽をする行動を避けることをユーザに促すことができる。そのため、相対的な受信方向の変動もしくはアンテナの遮蔽による通信品質の低下を回避もしくは緩和することができる。
【００６０】
また、表示制御部１６は、アンテナ制御部１７が動作するアンテナを定める前に、表示情報を表示部１１に表示させることを特徴とする。
この構成により、表示の必要がある場合として電波の受信方向を検出し、動作するアンテナを定める際に、各アンテナの遮蔽する行動を避けることをユーザに促すことができる。そのため、アンテナ制御部１７は、動作するアンテナを正確に定めることができる。
【００６１】
また、表示部１１は、表示情報としてアンテナから所定距離以上離れた目標領域を表示する。
この構成により、アンテナを遮蔽しない目標領域がユーザに通知されるので、目標領域での支持をユーザに促すことができる。そのため、アンテナの遮蔽による通信品質の低下を回避もしくは緩和することができる。
【００６２】
また、端末装置１０は、自装置が支持される支持領域を検出する接触検出部１２、支持検出部１５−１、１５−２のいずれか、またはそれらの組と、支持領域の少なくとも一部が目標領域に含まれるとき通信を実行する通信制御部１８を備える。
この構成により、ユーザがアンテナを遮蔽しない目標領域で端末装置１０を支持するときに通信が実行されるので、アンテナの遮蔽による通信品質の低下を回避もしくは緩和することができる。
【００６３】
また、端末装置１０は、自装置が支持される支持領域を検出する接触検出部１２、支持検出部１５−１、１５−２のいずれか、またはそれらの組を備える。また、端末装置１０は、接触検出部１２、支持検出部１５−１、１５−２のいずれか、またはそれらの組が支持領域を検出するとき、表示情報を表示させる表示制御部１６を備える。
この構成により、ユーザが端末装置１０を支持するときに、アンテナとその位置が通知される。そのため、アンテナを遮蔽する行動を避けることをユーザに促すことができるので、通信品質の低下を回避もしくは緩和することができる。
【００６４】
また、端末装置１０は、表示情報の表示の要否を示す設定情報を取得し、設定情報に基づいて表示情報の表示の要否を制御する表示制御部１６を備える。
この構成により、取得された設定情報に基づいて表示情報の表示の要否が設定可能となる。例えば、ユーザの操作もしくはアプリケーションの種類や機能に応じて表示情報の表示と非表示を切り替えることが可能になる。
【００６５】
なお、上述した実施形態では、表示情報としてアンテナの形状を示すアイコンＩｃ−１、Ｉｃ−２、Ｉｃ−３が、表示部１１においてアレイアンテナ１９−１、１９−２、１９−３のそれぞれから所定の範囲内の位置に表示される場合を例にしたが、これには限られない。表示情報は、個々のアンテナの位置を表す情報であれば、任意の図形、記号、文字もしくはこれらの任意の組み合わせが用いられてもよい。
また、目標領域を表す情報としてマーカＭｋ−１、Ｍｋ−２が、表示部１１において支持検出部１５−１、１５−２のそれぞれから所定の範囲内の位置に表示される場合を例にしたが、これには限られない。目標領域を表す情報は、アレイアンテナ１９−１、１９−２、１９−３のそれぞれから所定の距離以上離れた位置を表す情報であれば、任意の図形、記号、文字もしくはこれらの任意の組み合わせが用いられてもよい。
【００６６】
表示情報、目標領域を表す情報は、必ずしも表示部１１の表示領域内に表される情報でなくてもよい。例えば、端末装置１０の周縁部に設けられた発光部の点灯、もしくは点滅、表示色などの表示態様の変化により表わされてもよい。発光部として、例えば、発光ダイオード（ＬＥＤ：Ｌｉｇｈｔ  Ｅｍｉｔｔｉｎｇ  Ｄｉｏｄｅ）が用いられてもよい。
また、表示情報、目標領域を表す情報は、その旨のメッセージを表す文字列であってもよい。
【００６７】
また、アイコンＩｃ−１、Ｉｃ−２、Ｉｃ−３やマーカＭｋ−１、Ｍｋ−２の表示態様、例えば、形状、大きさ、色彩は上述したものに限られず、任意の表示態様が利用可能である。また、表示されているアイコンの表示領域が押下されるとき、表示制御部１６は、その表示領域の遮蔽を回避させるためのメッセージとして、例えば、「アンテナが動作中ですので、この部分を覆わないでください。」との文字列を表示させてもよい。その場合には、表示制御部１６は、マーカの表示領域を把持することを促し、かつ、その他の領域の遮蔽を回避させるためのメッセージとして、例えば、「星印の部分を持って、できるだけ他の部分にふれないでください。」との文字列を表示させてもよい。
【００６８】
なお、端末装置１０の一部、例えば、制御部１３、アンテナ制御部１７、通信制御部１８は、コンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
また、上述した実施形態における端末装置１０の一部、または全部を、ＬＳＩ（Ｌａｒｇｅ  Ｓｃａｌｅ  Ｉｎｔｅｇｒａｔｉｏｎ）等の集積回路として実現してもよい。端末装置１０の一部、の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６９】
以上、図面を参照してこの発明の実施形態について詳しく説明してきたが、具体的な構成は上述のものに限られることはなく、この発明の要旨を逸脱しない範囲内において様々な設計変更等をすることが可能である。
【産業上の利用可能性】
【００７０】
本発明のいくつかの態様は、ミリ波通信において通信品質の低下を回避もしくは緩和することが必要な端末装置、通信方法およびプログラムなどに適用することができる。
【符号の説明】
【００７１】
１０…端末装置、１１…表示部、１２…接触検出部、１３…制御部、１４…アプリケーション処理部、１５−１、１５−２…支持検出部、１６…表示制御部、１７…アンテナ制御部、１８…通信制御部、１９−１、１９−２、１９−３…アレイアンテナ
【図１】
2017169016.tif 000003
【図２】
2017169016.tif 000004
【図３】
2017169016.tif 000005
【図４】
2017169016.tif 000006
【図５】
2017169016.tif 000007
【図６】
2017169016.tif 000008
【図７】
2017169016.tif 000009
【図８】
2017169016.tif 000010
【図９】
2017169016.tif 000011
【図１０】
2017169016.tif 000012
【図１１】
2017169016.tif 000013
【図１２】
2017169016.tif 000014
【図１３】
2017169016.tif 000015
【図１４】
2017169016.tif 000016
【図１５】
2017169016.tif 000017
【図１６】
2017169016.tif 000018
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
表示領域を有する表示部と、
前記表示部の裏面の互いに異なる位置に配置された複数のアンテナと、
前記複数のアンテナの少なくともいずれかの位置に関する表示情報を、前記表示領域上の位置であって、前記複数のアンテナの少なくともいずれかを平面視した位置と重なるように表示する表示部と、
を備える端末装置。
【請求項２】
各アンテナの動作を制御するアンテナ制御部と、
前記表示情報として、動作するアンテナを示す情報を前記表示部の当該動作するアンテナの位置から所定範囲内の位置に表示させる表示制御部と、
を備える請求項１に記載の端末装置。
【請求項３】
前記表示制御部は、
前記表示情報において動作するアンテナを動作しないアンテナと異なる態様で同時に表示させる請求項２に記載の端末装置。
【請求項４】
前記表示制御部は、
他装置との通信状態が変化したか否かを判定し、前記通信状態が変化したと判定した場合に、前記表示情報を表示させる請求項２または請求項３に記載の端末装置。
【請求項５】
前記表示制御部は、
通信品質が所定の通信品質よりも低下するとき前記表示情報を表示させ、他装置との通信品質が所定の通信品質以上になるとき前記表示情報を前記表示部に表示させない請求項４に記載の端末装置。
【請求項６】
前記アンテナ制御部は、
電波の受信方向を検出し、
前記表示制御部は、
前記表示情報として前記受信方向に関する情報をさらに表示させる請求項２から請求項５のいずれか一項に記載の端末装置。
【請求項７】
各アンテナの動作を制御するアンテナ制御部を更に備え、
前記表示制御部は、前記アンテナ制御部が動作するアンテナを定める前に、
前記表示情報を前記表示部に表示させる請求項１に記載の端末装置。
【請求項８】
前記表示部は、
前記表示情報として前記アンテナから所定距離以上離れた目標領域を表示する請求項１から請求項７のいずれか一項に記載の端末装置。
【請求項９】
自装置が支持される支持領域を検出する検出部と、
前記支持領域の少なくとも一部が前記目標領域に含まれるとき通信を実行する通信制御部と、
を備える請求項８に記載の端末装置。
【請求項１０】
自装置が支持される支持領域を検出する検出部と、
前記検出部が前記支持領域を検出するとき、前記表示情報を表示させる表示制御部と、
を備える請求項１から請求項９のいずれか一項に記載の端末装置。
【請求項１１】
前記表示情報の表示の要否を示す設定情報を取得し、前記設定情報に基づいて前記表示情報の表示の要否を制御する表示制御部と、
を備える請求項１から請求項１０のいずれか一項に記載の端末装置。
【請求項１２】
表示領域を有する表示部を備える端末装置における方法であって、
前記表示部の裏面の互いに異なる位置に配置された複数のアンテナの少なくともいずれかの位置に関する表示情報を、前記表示領域上の位置であって、前記複数のアンテナの少なくともいずれかを平面視した位置と重なるように前記表示部に表示させる表示過程、
を有する通信方法。
【請求項１３】
表示領域を有する表示部を備える端末装置のコンピュータに、
前記表示部の裏面の互いに異なる位置に配置された複数のアンテナの少なくともいずれかの位置に関する表示情報を、前記表示領域上の位置であって、前記複数のアンテナの少なくともいずれかを平面視した位置と重なるように前記表示部に表示させる表示手順、
を実行させるためのプログラム。
【請求項１４】
前記所定範囲は、前記動作するアンテナの近傍の領域である
請求項２に記載の端末装置。
【請求項１５】
前記所定範囲は、前記動作するアンテナに到来する電波、もしくは、前記動作するアンテナが放射する電波が遮蔽されない位置を網羅する範囲である
請求項１４に記載の端末装置。
【請求項１６】
前記所定範囲は、その一辺の長さが人間の平均的な指の幅と同等の大きさの範囲である
請求項１５に記載の端末装置。
【請求項１７】
前記表示制御部は、
接続先のアクセスポイントの変更があった場合に、前記通信状態が変化したと判定し、前記表示情報を表示させる
請求項４に記載の端末装置。
【請求項１８】
前記表示制御部は、
前記端末装置で起動するアプリケーションの種類に応じて、前記表示情報を表示するか否かを決定し、前記表示情報を表示すると決定した場合に、前記表示部に、前記表示情報を表示させる
請求項１に記載の端末装置。
【請求項１９】
前記表示制御部は、
前記端末装置で起動するアプリケーションが、所定容量よりも大きい通信を伴う処理を指示するアプリケーションである場合に、前記表示情報を表示すると決定し、前記表示部に、前記表示情報を表示させる
請求項１８に記載の端末装置。
【請求項２０】
前記表示制御部は、
前記端末装置で起動するアプリケーションが表示する画面部品が、前記表示部上で、前記表示情報と重なる場合には、前記表示情報を、前記表示部に表示しない
請求項１に記載の端末装置。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
表示領域を有する表示部と、
前記表示部の裏面の互いに異なる位置に配置された複数のアンテナと、
前記複数のアンテナの少なくともいずれかの位置に関する表示情報を、前記表示領域上の位置であって、前記複数のアンテナの少なくともいずれかを平面視した位置と重なるように表示する表示部と、
各アンテナの動作を制御するアンテナ制御部と、
他装置との通信状態が変化したか否かを判定し、前記通信状態が変化したと判定した場合に、前記表示情報として、動作するアンテナを示す情報を前記表示部の当該動作するアンテナの位置から所定範囲内の位置に表示させる表示制御部と、
を備える端末装置。
【請求項２】
表示領域を有する表示部と、
前記表示部の裏面の互いに異なる位置に配置された複数のアンテナと、
前記複数のアンテナの少なくともいずれかの位置に関する表示情報を、前記表示領域上の位置であって、前記複数のアンテナの少なくともいずれかを平面視した位置と重なるように表示する表示部と、
各アンテナの動作を制御するアンテナ制御部と、
通信品質が所定の通信品質よりも低下するとき、前記表示情報として、動作するアンテナを示す情報を前記表示部の当該動作するアンテナの位置から所定範囲内の位置に表示させ、他装置との通信品質が所定の通信品質以上になるとき前記表示情報を前記表示部に表示させない表示制御部と、
を備える端末装置。
【請求項３】
表示領域を有する表示部と、
前記表示部の裏面の互いに異なる位置に配置された複数のアンテナと、
前記複数のアンテナの少なくともいずれかから所定距離以上離れた目標領域を表示する表示情報を、前記表示領域上の位置であって、前記複数のアンテナの少なくともいずれかを平面視した位置と重なるように表示する表示部と、
自装置が支持される支持領域を検出する検出部と、
前記支持領域の少なくとも一部が前記目標領域に含まれるとき通信を実行する通信制御部と、
を備える端末装置。
【請求項４】
表示領域を有する表示部と、
前記表示部の裏面の互いに異なる位置に配置された複数のアンテナと、
前記複数のアンテナの少なくともいずれかの位置に関する表示情報を、前記表示領域上の位置であって、前記複数のアンテナの少なくともいずれかを平面視した位置と重なるように表示する表示部と、
前記端末装置で起動するアプリケーションが表示する画面部品が、前記表示部上で、前記表示情報と重なる場合には、前記表示情報を、前記表示部に表示しない表示制御部と、
を備える端末装置。
【国際調査報告】
2017169016.tif 000019
2017169016.tif 000020
2017169016.tif 000021
2017169016.tif 000022